(57)【要約】  本願は、光ファイバーケーブルコネクタ、光ファイバーケーブルコネクタ用スリーブ、光ファイバーケーブルアダプタ、及び存在を識別し情報を交換できるインテリジェントシステムを組み込んだ光ファイバーコネクタセンブリの実施形態を提供する。
2020527752.tif 000002
【特許請求の範囲】
【請求項１】
光ファイバーケーブルコネクタセンブリであって、
コネクタハウジング及びコネクタハウジングから延在するフェルールを有する光ファイバーケーブルコネクタ；
中央スリーブ開口部を有するスリーブ本体、前記スリーブ本体から延在する媒体インターフェイスハウジング、及び、前記媒体インターフェイスハウジング内の少なくとも１つの電気記憶媒体を有するスリーブであって、前記スリーブは、前記コネクタハウジングに嵌合するように構成されている、スリーブ；及び、
アダプタハウジングを有する光ファイバーケーブルアダプタであって、前記アダプタハウジングは、
少なくとも前記フェルールを受容するように構成された中央アダプタ開口部を有するアダプタ本体；
前記フェルールが前記中央アダプタ開口部に挿入された際に作動するように構成された存在検出スイッチ；及び、
前記少なくとも１つの電気記憶媒体からの読み取り、及び、前記少なくとも１つの電気記憶媒体への書き込みが可能な記憶媒体インターフェイス
を備える光ファイバーケーブルアダプタ、
を備えることを特徴とする光ファイバーケーブルコネクタセンブリ。
【請求項２】
前記スリーブ本体に固定されたＲＦＩＤタグをさらに備えることを特徴とする請求項１に記載の光ファイバーケーブルコネクタセンブリ。
【請求項３】
前記光ファイバーケーブルコネクタがマルチファイバーケーブルコネクタを備え、前記光ファイバーケーブルアダプタがマルチファイバーケーブルアダプタを備えることを特徴とする請求項１に記載の光ファイバーケーブルコネクタセンブリ。
【請求項４】
前記光ファイバーケーブルコネクタがシングルファイバーケーブルコネクタを備え、前記光ファイバーケーブルアダプタがシングルファイバーケーブルアダプタを備えることを特徴とする請求項１に記載の光ファイバーケーブルコネクタセンブリ。
【請求項５】
前記少なくとも１つの電気記憶媒体がＥＥＰＲＯＭを備えることを特徴とする請求項１に記載の光ファイバーケーブルコネクタセンブリ。
【請求項６】
光ファイバーケーブルコネクタセンブリであって、
コネクタハウジング及びコネクタハウジングから延在するフェルールを有する光ファイバーケーブルコネクタ；
前記コネクタハウジングに嵌合するように構成されたスリーブであって、前記スリーブは、
中央スリーブ開口部を有するスリーブ本体；
前記スリーブ本体から延在する媒体インターフェイスハウジングであって、前記媒体インターフェイスハウジング内に少なくとも１つの電気記憶媒体を有する媒体インターフェイス；及び、
前記スリーブ本体に固定されたＲＦＩＤタグ；
を備えるスリーブ；及び、
アダプタハウジングを有する光ファイバーケーブルアダプタであって、前記アダプタハウジングは、
少なくとも前記フェルールを受容するように構成された中央アダプタ開口部を有するアダプタ本体；
前記フェルールが前記中央アダプタ開口部に挿入された際に作動するように構成された存在検出スイッチ；及び、
前記少なくとも１つの電気記憶媒体からの読み取り、及び、前記少なくとも１つの電気記憶媒体への書き込みが可能な記憶媒体インターフェイス
を備える光ファイバーケーブルアダプタ、
を備えることを特徴とする光ファイバーケーブルコネクタセンブリ。
【請求項７】
前記光ファイバーケーブルコネクタがマルチファイバーケーブルコネクタを備え、前記光ファイバーケーブルアダプタがマルチファイバーケーブルアダプタを備えることを特徴とする請求項６に記載の光ファイバーケーブルコネクタセンブリ。
【請求項８】
前記光ファイバーケーブルコネクタがシングルファイバーケーブルコネクタを備え、前記光ファイバーケーブルアダプタがシングルファイバーケーブルアダプタを備えることを特徴とする請求項６に記載の光ファイバーケーブルコネクタセンブリ。
【請求項９】
前記少なくとも１つの電気記憶媒体がＥＥＰＲＯＭを備えることを特徴とする請求項６に記載の光ファイバーケーブルコネクタセンブリ。
【請求項１０】
光ファイバーケーブルコネクタであって、
コネクタハウジングと、前記コネクタハウジングから延在するフェルール；及び
中央スリーブ開口部を備えたスリーブ本体と、前記スリーブ本体から延在する媒体インターフェイスハウジングと、前記媒体インターフェイスハウジング内の少なくとも１つの電気記憶媒体とを有するスリーブであって、前記コネクタハウジングに嵌合するように構成されているスリーブと、
を備えることを特徴とする光ファイバーケーブルコネクタ。
【請求項１１】
前記スリーブ本体に固定されたＲＦＩＤタグをさらに備えることを特徴とする請求項１に記載の光ファイバーケーブルコネクタ。
【請求項１２】
前記コネクタハウジングは、マルチファイバーケーブルコネクタハウジングを備えることを特徴とする請求項１に記載の光ファイバーケーブルコネクタ。
【請求項１３】
前記コネクタハウジングは、シングルファイバーケーブルコネクタハウジングを備えることを特徴とする請求項１に記載の光ファイバーケーブルコネクタ。
【請求項１４】
前記少なくとも１つの電気記憶媒体がＥＥＰＲＯＭを含む、請求項１に記載の光ファイバーケーブルコネクタ。
【請求項１５】
光ファイバーケーブルコネクタであって、
コネクタハウジングと、前記コネクタハウジングから延在するフェルール；及び
前記コネクタハウジングに嵌合するように構成されているスリーブであって、前記スリーブは、
中央スリーブ開口部を備えたスリーブ本体；
前記スリーブ本体から延在する媒体インターフェイスハウジングであって、前記媒体インターフェイスハウジング内の少なくとも１つの電気記憶媒体を有する媒体インターフェイスハウジング；及び
前記スリーブ本体に固定されたＲＦＩＤタグ；
を備えるスリーブ；
を備えることを特徴とする光ファイバーケーブルコネクタ。
【請求項１６】
前記コネクタハウジングは、マルチファイバーケーブルコネクタハウジングを備えることを特徴とする請求項１５に記載の光ファイバーケーブルコネクタ。
【請求項１７】
前記コネクタハウジングは、シングルファイバーケーブルコネクタハウジングを備えることを特徴とする請求項１５に記載の光ファイバーケーブルコネクタ。
【請求項１８】
前記少なくとも１つの電気記憶媒体がＥＥＰＲＯＭを備えることを特徴とする請求項１５に記載の光ファイバーケーブルコネクタ。
【発明の詳細な説明】
【技術分野】
【０００１】
本願は、「ファイバーコネクタセンブリ」と題する２０１７年７月１９日に出願された同時係属中の米国仮出願第６２／５３４，６３３号に基づくものであり、その内容全体が参照により本明細書に組み込まれる。
【背景技術】
【０００２】
本願は、一般に、ファイバーコネクタセンブリに関し、より具体的には、ファイバーケーブルコネクタを覆うスリーブと、ファイバーケーブルコネクタ及びスリーブを受容するアダプタと、を含むファイバーコネクタセンブリに関する。
【発明の概要】
【課題を解決するための手段】
【０００３】
本願は、ファイバーケーブルコネクタ、ファイバーケーブルコネクタ用スリーブ、ファイバーケーブルアダプタ、及び存在を識別し情報を交換できるインテリジェントシステムを組み込むファイバーコネクタセンブリの実施形態を含む。例示的な一実施形態では、光ファイバーケーブルコネクタセンブリは、光ファイバーケーブルコネクタ、スリーブ、及び光ファイバーケーブルアダプタを含む。光ファイバーケーブルコネクタは、ハウジングと、ハウジングから延在するフェルールを有する。スリーブは、中央開口部を備えた本体、本体から延在する媒体インターフェイスハウジング、及び媒体インターフェイスハウジング内のＥＥＰＲＯＭなどの少なくとも１つの電気記憶媒体を有する。スリーブは、光ファイバーケーブルコネクタハウジングに嵌合するように構成されている。光ファイバーケーブルアダプタには、本体、存在検出スイッチ、及び記憶媒体読み取り／書き込みインターフェイスを含むハウジングを有する。本体には、少なくともコネクタのフェルールを受容するように構成された中央開口部があります。存在検出スイッチは、フェルールがアダプタハウジングの中央開口部に挿入された際に作動するように構成されている。記憶媒体読み取り／書き込みインターフェイスは、少なくとも１つの電気記憶媒体から読み取り及び書き込みが可能である。光ファイバーケーブルコネクタセンブリは、スリーブ本体に固定され、ＲＦＩＤリーダーで読み取ることができるＲＦＩＤタグを含み得る。光ファイバーケーブルコネクタセンブリには、マルチファイバーケーブルコネクタとアダプタ、または、シングルファイバーケーブルコネクタとアダプタを含み得る。
【０００４】
本願のより完全な評価及びそれに付随する利点の多くは、添付の図面と併せて考慮した場合に以下の詳細な説明を参照することにより良く理解されるため、容易に得られるだろう。
【図面の簡単な説明】
【０００５】
【図１】光ファイバー高密度コネクタの斜視図である。
【図２】本願における光ファイバー高密度スリーブの例示的な実施形態の斜視図である。
【図３】本願における光ファイバー高密度スリーブを備えた光ファイバー高密度コネクタの例示的な実施形態の斜視図である。
【図４】図３の詳細４から取られた、図２の光ファイバー高密度スリーブに組み込まれたチップアセンブリの底面図である。
【図５】光ファイバー高密度スリーブに組み込まれたチップアセンブリ及びＲＦＩＤタグを示す、本願における光ファイバー高密度コネクタの別の例示的な実施形態の斜視図である。
【図６】光ファイバー高密度スリーブに組み込まれたＲＦＩＤタグを示めす、本願における光ファイバー高密度コネクタの別の例示的な実施形態の斜視図である。
【図７】図６の光ファイバー高密度アダプタ及び光ファイバー高密度スリーブを備えた光ファイバー高密度コネクタを示す、本願におけるファイバーコネクタセンブリの例示的な実施形態の部品を分離した斜視図である。
【図８】光ファイバー高密度スリーブを備えた光ファイバー高密度コネクタに結合された光ファイバー高密度アダプタを示す、図７のファイバーコネクタセンブリの斜視図である。
【図９】光ファイバー低密度コネクタの斜視図である。
【図１０】本願における光ファイバー低密度スリーブの例示的な実施形態の斜視図である。
【図１１】本願における光ファイバー低密度スリーブを備えた光ファイバー低密度コネクタの例示的な実施形態の斜視図である。
【図１２】図１１の詳細１２から取られた、図１１の光ファイバー低密度スリーブに組み込まれたチップアセンブリの底面図である。
【図１３】光ファイバー低密度スリーブに組み込まれたチップアセンブリ及びＲＦＩＤタグを示す、本願における光ファイバー低密度コネクタの別の例示的な実施形態の斜視図である。
【図１４】光ファイバー低密度スリーブに組み込まれたＲＦＩＤタグを示す、本願における光ファイバー低密度コネクタの別の例示的な実施形態の斜視図である。
【図１５】図１の光ファイバー低密度アダプタ及び光ファイバー低密度スリーブを備えた光ファイバー低密度コネクタを示す、本願におけるファイバーコネクタセンブリの別の例示的な実施形態の部品を分離した斜視図である。
【図１６】光ファイバー低密度スリーブを備えた複数の光ファイバー低密度コネクタに結合された光ファイバー低密度アダプタを示す、図１５の光ファイバーコネクタセンブリの斜視図である。
【図１７】本願によって企図される携帯用ハンドヘルド記憶媒体プログラミングツールのブロック図である。
【発明を実施するための形態】
【０００６】
本願は、存在を識別し情報を交換することができるインテリジェントシステムを組み込んだ、ファイバーケーブルコネクタ、ファイバーケーブルコネクタ用スリーブ、ファイバーケーブルアダプタ、及び、ファイバーコネクタセンブリの実施形態を提供する。説明を簡単にするために、ファイバーケーブルコネクタは、本明細書では単数形で「コネクタ」、複数形で「コネクタ」とも呼ばれ得うる。本明細書では、ファイバーケーブルコネクタスリーブは、単数形の「スリーブ」及び複数形の「スリーブ」と称され得る。本明細書では、ファイバーケーブルアダプタは、単数形の「アダプタ」及び複数形の「アダプタ」と称され得る。本明細書では、ファイバーコネクタセンブリは、単数形の「アセンブリ」及び複数形の「アセンブリ」と称され得る。各アセンブリには、少なくとも１つのコネクタ、スリーブ、及び対応するアダプタを含む。
【０００７】
本明細書で企図されるコネクタ及びアダプタは、マルチファイバーコネクタ及びアダプタ、或いは、シングルファイバーコネクタ及びアダプタであり得る。本明細書で企図される各マルチファイバーコネクタは、対応するマルチファイバーアダプタと嵌合可能であり、本明細書で企図される各シングルファイバーコネクタは、対応するシングルファイバーアダプタと嵌合可能である。マルチファイバーコネクタ及びアダプタの非限定的な例には、ＭＴＰコネクタ及びアダプタとも称され得る、マルチファイバープッシュオン（「ＭＰＯ」）タイプのコネクタ及びアダプタ、ＭＸＣコネクタ及びアダプタ、及び、単一のジャケット内に１つ以上のファイバーを分岐可能な他のコネクタ及びアダプタが含まれる。シングルファイバーコネクタ及びアダプタの非限定的な例には、ルーセント（「ＬＣ」）、ＳＣ、ＦＣ／ＰＣコネクタ及びアダプタ、及び、シングルファイバーケーブルを終端する他のコネクタ及びアダプタタイプが含まれる。スリーブは、マルチファイバーコネクタまたはシングルファイバーコネクタに取り付けられるように構成される。
【０００８】
図を、特に図１〜図４を参照すると、本願におけるマルチファイバスリーブを備えたマルチファイバーコネクタの例示的な実施形態が示されている。マルチファイバーコネクタ１０は、オスコネクタまたはメスコネクタであり得る。この例示的な実施形態では、マルチファイバーコネクタ１０は、マルチファイバーケーブル１２に動作可能に接続され得る既知のＭＰＯコネクタである。スリーブ３０は、コネクタのフェルール１６が、以下に説明するように、アダプタと結合し得るようにコネクタ１０のハウジング１４に嵌合するように構成される。図３に示すように、コネクタ１０及びスリーブ３０は集合的にアセンブリ５０である。例示的な一実施形態では、スリーブ３０は、コネクタ１０のハウジング１４上をスライドするように構成され得る中央開口部３４を有する本体３２を有する。本体３２は、中央開口部３４を画定する内壁３６を有する。スリーブ３０をコネクタハウジング１４に連結するために、コネクタハウジング１４の対応するスロット１８内にスナップ嵌めされる１つまたは複数の内壁３６からタブが延在し得る。実施形態では、スリーブ３０は、コネクタハウジング１４の周辺においてスナップロック嵌めで互いに接合され得る第１の半分体及び第２の半分体を含む二部品構造であり得る。別の例示的な実施形態では、スリーブ３０は、コネクタハウジング１４に一体成形され得る。
【０００９】
図２を参照すると、本体３２の前面から延在するのは、図４に見られる１つまたは複数の記憶媒体７０を受けるように構成される媒体インターフェイスハウジング３８である。この例示的な実施形態では、１つまたは複数の記憶媒体７０は電気式記憶媒体である。電気式記憶媒体の非限定的な例には、情報を保存できる、またはそのような情報を保存するようにプログラムできるＥＥＰＲＯＭまたは他のメモリチップが含まれる。記憶媒体７０に記憶される情報には、例えば、識別データ及びケーブル特性が含まれる。コネクタ識別データ及びケーブル特性の非限定的な例には、コネクタＩＤ、コネクタタイプ、ケーブルの色、ケーブルの長さ、ケーブルＩＤ、ケーブルファイバのタイプ、及びその他の必要な情報が含まれる。本願はまた、アダプタ８２内の電気接点が１つまたは複数のストレージに接触できるように媒体インターフェイスハウジング３８に結合するように構成されたアダプタ８２を含む、図１７に示す携帯用の手持ち式記憶媒体プログラマ８０を企図する。媒体７０は、所望の情報、例えば、コネクタ、ケーブル、及び／または他の情報で１つまたは複数の記憶媒体をプログラムする。コネクタ上の電気式記憶媒体は、「コネクタ上のチップ」としても知られていることに注意されたい。
【００１０】
図５を参照すると、コネクタ上にチップを有することに加えて、スリーブ３０は、ＲＦＩＤタグまたは近距離無線通信（ＮＦＣ）デバイスも含み得る。例示的な一実施形態では、ＲＦＩＤタグ９０を本体３２の外部に固定し、ＲＦＩＤタグの完全性が損なわれないように保護部材または保護材料で覆うことができる。別の例示的な実施形態では、スリーブ本体３２の内壁３６は、ＲＦＩＤタグを受容するように構成及び寸法決めされた凹部を含み得る。ＲＦＩＤタグは、エポキシ接着剤などの接着剤を使用して凹部内に固定され得る。ＲＦＩＤタグは、例えばコネクタＩＤ、コネクタタイプ、ケーブルカラー、ケーブル長、ケーブルＩＤ、ケーブルファイバタイプなどのデータ及びケーブル特性を識別するコネクタを格納し得る。ＲＦＩＤタグ９０は、既知の任意のタイプのＲＦＩＤタグであり得、当技術分野で知られており、既知のＲＦＩＤリーダーを使用して読み取りされ得る。
【００１１】
図６を参照すると、別の例示的な実施形態では、スリーブ３０は、記憶媒体のないＲＦＩＤタグまたは近距離無線通信（ＮＦＣ）デバイスを含み得る。例示的な一実施形態では、ＲＦＩＤタグ９０を本体３２の外部に固定し、ＲＦＩＤタグの完全性が損なわれないように保護部材または材料で覆うことができる。別の例示的な実施形態では、スリーブ本体３２の内壁３６は、ＲＦＩＤタグを受容するように構成及び寸法決めされた凹部を含み得る。ＲＦＩＤタグは、エポキシ接着剤などの接着剤を使用し、凹部内に固定され得る。ＲＦＩＤタグは、例えば、コネクタＩＤ、コネクタタイプ、ケーブル色、ケーブル長、ケーブルＩＤ、ケーブルファイバタイプなどのデータ及びケーブル特性を識別するコネクタを格納し得る。上述のように、ＲＦＩＤタグ９０は、当技術分野で知られており、既知のＲＦＩＤリーダーを使用して読み取りされ得る。
【００１２】
図７及び図８を参照すると、本願によるマルチファイバーアダプタの例示的な実施形態が示されている。この例示的な実施形態では、マルチファイバーアダプタ１００は、例えば、アダプタモジュール（図示せず）、またはサーバ、パッチなどのネットワークデバイスのハウジングのフロントパネルまたはリアパネルに固定され得るＭＰＯアダプタである。アダプタ１００は、マルチファイバーコネクタセンブリ５０のフェルール１６を受容するように構成された中央開口部１０４を有するハウジング１０２を含む。中央開口部内には、示されるようにハウジング１０２から延在する電気接点１０６ａ及び１０８ａをそれぞれ有するピン１０６及び１０８を含む存在検出スイッチがある。存在検出スイッチのピン１０６及び１０８は、アダプタハウジング１０２の中央開口部１０４内のコネクタ１０の存在を検出するために使用される。より具体的には、コネクタ１０のフェルール１６が中央開口部１０４（図８に示される）に挿入される際、在検出スイッチピン１０６及び１０８（図７に示される）が押し下げられ、測定可能な電気接点１０６ａと１０８ａとの間に電気経路が形成される。アダプタハウジング１０２は、コネクタ本体３２から延在する媒体インターフェイスハウジング３８を受容するように構成された記憶媒体読み取り／書き込みインターフェイス１１０も含む。記憶媒体読み取り／書き込みインターフェイス１１０は、アダプタハウジング１０２から延在する電気リード線１１２ａ及び１１４ａをそれぞれ有する、図７に示される１つまたは複数の媒体読み取り／書き込み接点１１２及び１１４を含む。媒体読み取り／書き込み接点１１２及び１１４は、情報が記録されるように、媒体インターフェイスハウジング３８内のそれぞれの記憶媒体７０に接触するように構成される。記憶媒体に格納されたデータは、既知のように、電気リード線１１２ａ及び／または１１４ａを介して読み取りされ得る。
【００１３】
図９〜１２を参照すると、本願によるシングルファイバスリーブを備えたシングルファイバーコネクタの例示的な実施形態が示されている。シングルファイバーコネクタ２００は、オスコネクタまたはメスコネクタであり得る。この例示的な実施形態では、シングルファイバーコネクタ２００は、シングルファイバーケーブル２１２に動作可能に接続され得る既知のＬＣコネクタである。通常、シングルファイバーコネクタは送信ファイバーと受信ファイバーを提供するために対にされる。したがって、この例示的な実施形態では、スリーブ２３０は、図１１に示されるように、２つのコネクタ２００のハウジング２１４に嵌合するように構成され、各コネクタのフェルール２１６は、以下に説明するように、対になったアダプタと嵌合できるようになっている。この例示的な実施形態において、コネクタ２００及びスリーブ２３０は、集合的に図１１に示されるアセンブリ２５０である。図１０に示される１つの例示的な実施形態において、スリーブ２３０は、左側コネクタ開口部２３４で構成される本体２３２を有する。開口部２３４及び２３６は、コネクタハウジング２１４がそれぞれの開口部２３４または２３６にスナップ嵌めされ得るように構成されている。スリーブ２３０を各コネクタハウジング２１４にインターロックするために、タブは、別の例示的な実施形態では、スリーブ２３０は、第１の半分体及び第２の部分体を含む二部品構造であり得る。開口部２３４及び／または２３６の１つまたは複数の内壁から延在する。別の例示的な実施形態では、スリーブ２３０は、コネクタハウジング２１４に一体成形され得る。
【００１４】
図１０及び図１１を参照すると、本体２３２の上面から延在するのは、既知のように、コネクタ２００をアダプタにロックするために使用されるコネクタハウジング２１４から延在するロックアーム２１８と相互作用するリリースレバー２３８である。本体２３２の底部から延在するのは、図１２に示される１つまたは複数の記憶媒体２７０を受容するように構成された媒体インターフェイスハウジング２４０である。この例示的な実施形態では、１つまたは複数の記憶媒体２７０は電気式記憶媒体である。電気式記憶媒体２７０の非限定的な例には、データを識別するコネクタ及びケーブル特性などの情報を記憶できる、またはそのような情報を記憶するようにプログラムできるＥＥＰＲＯＭまたは他のメモリチップが含まれる。データ及びケーブル特性を識別するコネクタの非限定的な例には、コネクタＩＤ、コネクタタイプ、ケーブルの色、ケーブルの長さ、ケーブルＩＤ、ケーブルファイバのタイプ、及びその他の必要な情報が含まれる。上述のように、本願は、アダプタ８２内のピンが１つまたは複数の記憶媒体２７０と接触して、例えば、コネクタ、ケーブル、及び／または他の情報に関する情報で１つまたは複数の記憶媒体をプログラムし得るように、媒体インターフェイスハウジング２４０と結合するように構成されたアダプタ８２を含む、図１７に示される携帯用手持ち記憶媒体プログラマ８０も企図する。
【００１５】
図１３を参照すると、記憶媒体２７０を有することに加えて、スリーブ２３０は、ＲＦＩＤタグまたは近距離無線通信（ＮＦＣ）デバイスも含み得る。例示的な一実施形態では、ＲＦＩＤタグ９０は、本体２３２の外部に固定され、保護部材または保護材料で覆われて、ＲＦＩＤタグの完全性が損なわれないようにされ得る。別の例示的な実施形態では、スリーブ本体２３２の内壁は、ＲＦＩＤタグを受容するように構成及び寸法決めされた凹部を含み得る。ＲＦＩＤタグは、エポキシ接着剤などの接着剤を使用して凹部内に固定され得る。ＲＦＩＤタグ９０は、例えば、コネクタＩＤ、コネクタタイプ、ケーブルカラー、ケーブル長、ケーブルＩＤ、ケーブルファイバタイプなどのデータ及びケーブル特性を識別するコネクタを格納し得る。
【００１６】
図１４を参照すると、別の例示的な実施形態では、スリーブ２３０は、コネクタ上にチップがないＲＦＩＤタグまたは近距離無線通信（ＮＦＣ）デバイスを含み得る。例示的な一実施形態では、ＲＦＩＤタグ９０は、本体２３２の外部に固定され、保護部材または保護材料で覆われて、ＲＦＩＤタグの完全性が損なわれないようにされ得る。別の例示的な実施形態では、スリーブ本体２３２の内壁は、ＲＦＩＤタグを受容するように構成及び寸法決めされた凹部を含み得る。ＲＦＩＤタグは、エポキシ接着剤などの接着剤を使用して凹部内に固定され得る。ＲＦＩＤタグは、コネクタＩＤ、コネクタタイプ、ケーブルの色、ケーブル長、ケーブルＩＤ、ケーブルファイバタイプなどのデータとケーブルの特性を識別するコネクタを保存し得る。
【００１７】
図１５及び図１６を参照すると、本願によるシングルファイバーアダプタの例示的な実施形態が示されている。この例示的な実施形態では、シングルファイバーアダプタ３００は、例えば、アダプタモジュール（図示せず）、またはサーバ、パッチパネルなどのネットワークデバイスのハウジングのフロントパネルまたはリアパネルに固定され得るＬＣアダプタである。アダプタ３００は、２つのポートが１つのアセンブリ２５０に関連付けられ、他の２つのポートが別のアセンブリ２５０に関連付けられるクワッドアダプタである。アダプタ３００は、フェルール２１６を受容するように構成される中央開口部３０４を有するハウジング３０２を含む。２つのポートを表す中央開口部３０４内には、図示のようにハウジング３０２から延在する電気接点３０６ａと３０８ａの間に動作可能に接続されたピン３０６と３０８を含む存在検出スイッチがある。各存在検出スイッチは、アダプタハウジング３０２の中央開口部３０４内のコネクタ２００の存在を検出するために使用される。より具体的には、コネクタ２００のフェルール２１６が中央開口部３０４（図１６に示される）に挿入されると、存在検出スイッチピン３０６及び３０８（図１５示される）は押し下げられ、測定可能な電気接点３０６ａと３０８ａとの間に電気経路を作成する。また、アダプタハウジング３０２は、対応するコネクタ本体２３２から延在する媒体インターフェイスハウジング２４０を受容するようにそれぞれ構成された記憶媒体読み取り／書き込みインターフェイス３１０を含む。各記憶媒体読み取り／書き込みインターフェイス３１０は、アダプタハウジング３０２から延在する電気リード線３１２ａ及び３１４ａをそれぞれ有する、図１５に示される１つまたは複数の媒体読み取り／書き込み接点３１２及び３１４を含む。媒体読み取り／書き込み接点３１２及び３１４は、媒体インターフェイスハウジング２４０内のそれぞれの記憶媒体２７０と接触するように構成され、記憶媒体に保存された情報は、電気リード線３１２ａ及び／または３１４ａを介して読み取りされ得る。
【００１８】
図面全体を通して示されるように、同様の参照符号は、同様のまたは対応する部分を示す。本願の例示的な実施形態が上記で説明及び図示されたが、これらは本願の例示であり、限定と見なされるべきではないことを理解されたい。本願の趣旨または範囲から逸脱することなく、追加、削除、置換、及び他の修正が行われ得る。したがって、本願発明は、前述の説明によって限定されると見なされるべきではない。
【符号の説明】
【００１９】
１０  マルチファイバーコネクタ
１２  マルチファイバーケーブル
１４  コネクタハウジング
１６  フェルール
１８  スロット
３０  スリーブ
３２  スリーブ本体
３４  中央開口部
３６  内壁
３８  媒体インターフェイスハウジング
５０  マルチファイバーコネクタセンブリ
７０  記憶媒体
８０  記憶媒体プログラマ
８２  アダプタ
９０  ＲＦＩＤタグ
１００  マルチファイバーアダプタ
１０２  アダプタハウジング
１０４  中央開口部
１０６  スイッチピン
１０８  スイッチピン
１１０  記憶媒体読み取り／書き込みインターフェイス
１１２  電気リード線
１１２  接点
１１４  接点
２００  シングルファイバーコネクタ
２１２  シングルファイバーケーブル
２１４  コネクタハウジング
２１６  フェルール
２１８  ロックアーム
２３０  スリーブ
２３２  スリーブ本体
２３４  開口部
２３６  開口部
２３８  リリースレバー
２４０  媒体インターフェイスハウジング
２５０  アセンブリ
２７０  記憶媒体
３００  シングルファイバーアダプタ
３０２  アダプタハウジング
３０４  中央開口部
３０６  スイッチピン
３０８  スイッチピン
３１０  インターフェイス
３１２  接点
３１４  接点
【図１−２】
2020527752.tif 000003
【図３】
2020527752.tif 000004
【図４】
2020527752.tif 000005
【図５】
2020527752.tif 000006
【図６】
2020527752.tif 000007
【図７】
2020527752.tif 000008
【図８】
2020527752.tif 000009
【図９−１０】
2020527752.tif 000010
【図１１】
2020527752.tif 000011
【図１２】
2020527752.tif 000012
【図１３】
2020527752.tif 000013
【図１４】
2020527752.tif 000014
【図１５】
2020527752.tif 000015
【図１６】
2020527752.tif 000016
【図１７】
2020527752.tif 000017
【国際調査報告】
2020527752.tif 000018